(57)【要約】【課題】バックミラーに内蔵された車載器の赤外線通信が可能であり、且つ、赤外線遮蔽性能を有する自動車用窓ガラスを提供する。【解決手段】車室内の前方且つ上方に設けられたバックミラーを自動車の前後方向且つ水平方向に前記自動車用窓ガラス上に投影した位置より上方に電磁波を透過する電磁波透過部を有し、電磁波透過部の幅方向の距離は、バックミラーの幅方向中央部から自動車の前後方向に対し幅方向両側にそれぞれ４５°で自動車用窓ガラス上に水平方向に投影された幅より大きい。【選択図】図１
2012144218.tif 000002
【特許請求の範囲】
【請求項１】
周縁部が自動車前方のボディフランジに取り付けられ、大部分に赤外線を反射又は吸収する赤外線遮蔽部を有する自動車用窓ガラスであって、
車室内の前方且つ上方に設けられたバックミラーを自動車の前後方向且つ水平方向に前記自動車用窓ガラス上に投影した位置より上方に所定の電磁波を透過する電磁波透過部を有し、
前記電磁波透過部の幅方向の距離は、前記バックミラーの幅方向中央部から自動車の前後方向に対し幅方向両側にそれぞれ４５°で前記自動車用窓ガラス上に水平方向に投影された幅より大きいことを特徴とする自動車用窓ガラス。
【請求項２】
前記電磁波透過部の下辺は、上方に位置する前記ボディフランジの先端部から１５０ｍｍ以上離れている請求項１に記載の自動車用窓ガラス。
【請求項３】
前記赤外線遮蔽部は、前記ボディフランジの先端部より内側にあり、
前記電磁波透過部は、前記赤外線遮蔽部の上側端部が内側に後退するように設けられている請求項１又は２に記載の自動車用窓ガラス。
【請求項４】
前記電磁波透過部の幅方向の距離は、前記バックミラーの幅方向中央部から自動車の前後方向に対し幅方向両側にそれぞれ６０°で前記自動車用窓ガラス上に水平方向に投影した幅以上である請求項１から３のいずれか１項に記載の自動車用窓ガラス。
【請求項５】
前記電磁波透過部は、熱線反射膜をメッシュ上に形成した周波数選択表面である請求項１から４のいずれか１項に記載の自動車用窓ガラス。
【発明の詳細な説明】
【技術分野】
【０００１】
本発明は、自動車用窓ガラスに関し、特に赤外線遮蔽性能を有する自動車用窓ガラスに関する。
【背景技術】
【０００２】
近年、自動車内の温度上昇を抑え、冷房負荷を低減させる目的のため、車両用窓ガラスに赤外線遮蔽性能を有するガラス（以下、赤外線遮蔽ガラスと呼ぶことがある。）を使用することが普及しつつある。従来の赤外線遮蔽ガラスとしては、ガラス板の表面に各種の金属または金属酸化物の導電性薄膜を積層した薄膜付きガラス板が用いられ、これらの膜の作用により、車内に入射する太陽輻射エネルギーを大幅にカットすることができる。
【０００３】
近年日本においては、光ビーコンを用いたＶＩＣＳ（登録商標）（Vehicle Information and Communication System）が普及しつつある。これは情報センタで収集された交通情報を各自動車へ通知するとともに、自動車側の情報を情報センタへ通知することにより、道路での渋滞等を防止するためのシステムである。具体的には道路に設置された装置（以下、路側アンテナという）と、自動車内に設置された装置（以下、車載器という）との間で、双方向の電磁波による通信が行われる。
【０００４】
さらに、赤外線を使用したシステムとして、キーレスエントリやガレージドアオープナーなども普及している。キーレスエントリやガレージドアオープナーは、自動車内の送信機からガレージの受信機に赤外線信号を送信することにより、ドアロック又はガレージの開閉を行うシステムである。
以上のように、これらのシステムを正常に動作させるためには、ガラスが電磁波透過性能を有する必要がある。
【０００５】
特許文献１に記載の自動車用窓ガラスにおいては、室内空間側の窓ガラスの一部に送信機／受信機を直接取り付け、送信機／受信機の取付位置にのみ赤外線遮蔽層を設けないことで、太陽輻射エネルギーをカットしつつも外部と送信機／受信機との赤外線通信を許容している。
【先行技術文献】
【特許文献】
【０００６】
【特許文献１】特開平８−２１００４２号公報
【発明の概要】
【発明が解決しようとする課題】
【０００７】
ところで、ＶＩＣＳ、ガレージドアオープナー、リモートキーレスエントリーシステムに限らず、ＧＰＳアンテナ、ＥＴＣアンテナ、タイヤ空気圧センサ等の車載器は、自動車の車室内のバックミラーに内蔵されているものがある。特許文献１に記載の自動車用窓ガラスでは、ガラスに直接取り付ける送信機／受信機には有効であるが、ガラスから離れて配置された送信機／受信機には対応できておらず、バックミラーに内蔵されたこれらの車載器の動作に支障がでるおそれがあった。
【０００８】
そこで、本発明は、バックミラーに内蔵された車載器の電磁波による通信が可能であり、且つ、赤外線遮蔽性能を有する自動車用窓ガラスを提供することを目的とする。
【課題を解決するための手段】
【０００９】
本発明は、以下に示す態様を提供するものである。
（１）周縁部が自動車前方のボディフランジに取り付けられ、大部分に赤外線を反射又は吸収する赤外線遮蔽部を有する自動車用窓ガラスであって、
車室内の前方且つ上方に設けられたバックミラーを自動車の前後方向且つ水平方向に前記自動車用窓ガラス上に投影した位置より上方に所定の電磁波を透過する電磁波透過部を有し、
前記電磁波透過部の幅方向の距離は、前記バックミラーの幅方向中央部から自動車の前後方向に対し幅方向両側にそれぞれ４５°で前記自動車用窓ガラス上に水平方向に投影された幅より大きいことを特徴とする自動車用窓ガラス。
（２）前記電磁波透過部の下辺は、上方に位置する前記ボディフランジの先端部から１５０ｍｍ以上離れている（１）に記載の自動車用窓ガラス。
（３）前記赤外線遮蔽部は、前記ボディフランジの先端部より内側にあり、
前記電磁波透過部は、前記赤外線遮蔽部の上側端部が内側に後退するように設けられている（１）又は（２）に記載の自動車用窓ガラス。
（４）前記電磁波透過部の幅方向の距離は、前記バックミラーの幅方向中央部から自動車の前後方向に対し幅方向両側にそれぞれ６０°で前記自動車用窓ガラス上に水平方向に投影した幅以上である（１）から（３）のいずれかに記載の自動車用窓ガラス。
（５）前記電磁波透過部は、熱線反射膜をメッシュ上に形成した周波数選択表面である（１）から（４）のいずれかに記載の自動車用窓ガラス。
【発明の効果】
【００１０】
本発明によれば、赤外線遮蔽部により、赤外線遮蔽部により赤外線を反射又は吸収することで、自動車内の温度上昇を抑え、冷房負荷を低減させることができる。また、車室内のバックミラーを自動車用窓ガラス上に投影した位置より上方に電磁波透過部を設け、電磁波透過部の幅を、バックミラーの幅方向中央部から自動車の前後方向に対し幅方向両側にそれぞれ４５°で自動車用窓ガラス上に水平方向に投影された幅より大きいため、バックミラーに内蔵した車載器の電磁波による通信を良好に行わせることができる。
【図面の簡単な説明】
【００１１】
【図１】本発明の一実施形態の自動車用窓ガラスを正面から見た図である。
【図２】図１の自動車用窓ガラスの部分断面図である。
【図３】（ａ）は図１の自動車用窓ガラスを上方から見た図であり、（ｂ）は図１の自動車用窓ガラスを側方から見た図である。
【図４】電磁波透過部の開口角度と通信距離との関係を示したグラフである。
【発明を実施するための形態】
【００１２】
次に、本発明の一実施形態について説明する。
図１は、本発明の一実施形態の自動車用窓ガラスを正面から見た図である。本実施形態の自動車用窓ガラス１０１は、いわゆる合わせガラスであって、自動車のボディの略矩形状の開口部１２０に取り付けられフロントガラスとして用いられる。自動車用窓ガラス１０１は、接着剤１０７（図２参照）を介してフロントガラス用の開口部１２０から内側に突出するボディフランジ１２１に接着固定される。
【００１３】
自動車用窓ガラス１０１は、図２に示すように、ＰＶＢ（ポリビニルブチラール）等の透明樹脂製の中間膜１０１ｃを、車外側に位置するガラス板（外板１０１ａ）と車内側に位置するガラス板（内板１０１ｂ）とで挟持した合わせガラスである。内板１０１ｂの周縁における車内側面には、スクリーン印刷等されてから焼成により作られた黒色セラミック層１０８が、自動車用窓ガラス１０１の全周にほぼ枠状に設けられている。黒色セラミック層１０８は、黒色または暗色のセラミック製の皮膜であり、可視光だけでなく紫外線の透過を遮ることができ、接着剤１０７が紫外線によって劣化するのを防ぐことができる。また、車外からは接着剤１０７等が見えなくなり、外観の審美性を向上させている。なお、黒色セラミック層１０８は、外板１０１ａの車内側面、内板１０１ｂの車外側面の何れかに設けられていてもよい。
【００１４】
導電膜１０２は、内板１０１ｂの車外側面にフィルムやコーティングによって設けられる。この導電膜１０２は、内板１０１ｂの外周縁部から全周に亘って数ｃｍ程度カットバックされ、導電膜１０２が形成された領域が、赤外線遮蔽性能を有する赤外線遮蔽部１０３をなしている。本実施形態では、このカットバック量は、開口部１２０に自動車用窓ガラス１０１が取り付けられた状態で、導電膜１０２が、開口部１２０を形成するボディフランジ１２１とオーバラップしない、即ち、ボディフランジ１２１とオフセットするように全周に亘って開口部１２０の内側となるように設定されている。このように設定することによって、赤外線遮蔽の効果はそのままに赤外線遮蔽部１０３をできるだけ小さくすることができる。
また、導電膜１０２は、外板１０１ａの車内側面または中間膜１０１ｃにフィルムやコーティングによって設けてもよいし、２枚の中間膜で導電膜フィルムを挟むことによって設けてもよい。
【００１５】
また、車室内の前方且つ上方には、図３（ａ）及び（ｂ）に示すようにバックミラー１０９が設けられている。バックミラー１０９は、支持部材によってフロントガラスに接着材などによって設置されている。これに限らずバックミラー１０９がフロントガラスの上方の車室内の天井付近や設置されていてもよい。このバックミラー１０９には一例としてガレージドアオープナーの赤外線送信機（以下、車載器とも呼ぶ。）が内蔵されている。この車載器は、乗員による操作スイッチへの手動操作が行なわれた場合に、ガレージドアに設けられた赤外線受信機に赤外線を送信しガレージドアの開閉を行なうものである。なお、車載器は不図示の車外器との間で電磁波による通信を行なうものであればよく、電磁波の受信のみを行なう受信機であっても電磁波の送信のみを行なう送信機であっても、両方を行なうものであってもよい。
【００１６】
さらに、本実施形態の自動車用窓ガラス１０１には、車載器の電磁波通信を可能とするため電磁波透過部１０５が設けられている。なお、この電磁波透過部１０５は、対象の領域に導電膜１０２を設けないことにより形成させる。または、対象の領域の導電膜１０２に所定の電磁波を通すことができるメッシュ状、スリット状のパターン等を形成させた周波数選択表面（FSS: Frequency Selective Surface）を設けてもよい。導電膜１０２を設けないことで、または周波数選択表面を形成させることにより、赤外線を含め所定の電磁波が透過可能となる。
【００１７】
この電磁波透過部１０５は、図１に示すように、バックミラー１０９を自動車の前後方向且つ水平方向に自動車用窓ガラス１０１上に投影した位置１０９’より上方であって且つ電磁波透過部の幅方向の距離は、バックミラー１０９の幅方向（左右方向）中央部から自動車の前後方向に対し幅方向両側にそれぞれ４５°（開口角度θ）で自動車用窓ガラス１０１上に水平方向に投影された幅より大きい。特に、バックミラー１０９の幅方向中央部から幅方向両側にそれぞれ６０°で自動車用窓ガラス１０１上に水平方向に投影された幅より大きいことが好ましい。
【００１８】
この電磁波透過部１０５の位置の決め方を図３（ａ）及び（ｂ）を参照してより具体的に説明する。先ず、バックミラー１０９の高さ方向（上下方向）及び幅方向の中心Ｏから自動車の前後方向に対し幅方向に開口角度θを±４５°として仮想線を引き、この仮想線と自動車用窓ガラス１０１とが交わる点を交点Ｂ、Ｂ’とする。そして、交点Ｂ、Ｂ’から自動車用窓ガラス１０１面に沿って、バックミラー１０９を自動車の前後方向且つ水平方向に自動車用窓ガラス１０１上に投影した位置より上方に電磁波透過部１０５の下辺の幅方向両端部となる境界点Ａ、Ａ’を決定する。そして、境界点Ａ、Ａ’を電磁波透過部１０５の下辺の幅方向両端部となるように電磁波透過部１０５を形成する。
【００１９】
電磁波透過部１０５の下辺と上方に位置するボディフランジ１２１の先端部１２１ａとの距離Ｄは、１５０ｍｍ以上であることが好ましい。ボディフランジ１２１の先端部１２１ａから自動車用窓ガラス１０１の面に沿って１５０ｍｍ以上離した位置に電磁波透過部１０５の下辺が配置されるように構成することにより、ボディフランジ１２１の影響を小さくした状態で車内から送信するまたは車外から到来する電磁波が回折するため、車載器の送受信性能が改善する。
【００２０】
また、赤外線遮蔽部１０３は、その境界線がボディフランジ１２１の先端部１２１ａより自動車用窓ガラス１０１の面沿いに内側にあり、電磁波透過部１０５は、赤外線遮蔽部１０３の上辺である上側端部の境界線が凹状に内側に後退することで形成されていることが好ましい。つまり、電磁波透過部１０５は、ボディフランジ１２１まで形成されており、車内から送信するまたは車外から到来する電磁波がより回折しやすくなるため、車載器の送受信性能が改善する。
【実施例】
【００２１】
図４は、バックミラーに内蔵した周波数帯域２８８ＭＨｚの赤外線で通信を行なうガレージドアオープナーにおいて、電磁波透過部の開口角度と通信可能距離の関係を調べた測定結果である。測定は、バックミラー１０９の高さ方向及び幅方向の中心Ｏから自動車の前後方向に対し幅方向に開口角度θをそれぞれ±４５°、±６０°、±７５°、±９０°として自動車用窓ガラス１０１上に水平方向に投影された幅を有する電磁波透過部を備えた４種類の窓ガラスで行った。また電磁波透過部１０５の下辺は、バックミラー１０９を自動車の前後方向且つ水平方向に自動車用窓ガラス１０１上に投影した位置より上方に且つ電磁波透過部１０５の下辺とボディフランジ１２１の先端部１２１ａとの距離Ｄは１５０ｍｍとし、赤外線遮蔽部１０３の上辺である上側端部の境界線が凹状に内側に後退するように形成させた。
【００２２】
図４のグラフの横軸は、電磁波透過部の横幅であり、バックミラー１０９の自動車用窓ガラス１０１上への幅方向の投影する開口角度（°）とした。縦軸は、バックミラーに内蔵したガレージドアオープナーとガレージ側の受信機との間の通信が出来た通信距離とした。通信距離の測定方法は、電波暗室に、測定対象の窓ガラスを自動車の前方の窓枠にフロントガラスとして設置された自動車を配置して、バックミラーに内蔵したガレージドアオープナーから信号を送信し、受信機と自動車との距離を変更することにより測定した。
【００２３】
図４によれば、開口角度θが±４５°のとき、通信距離は２８．５ｍであり、開口角度θが±４５°より大きければ通信距離が大幅に長くなる。従って、電磁波透過部１０５の幅方向の距離は、開口角度θが、θ＞±４５°であるとき通信距離が大幅に改善されることが分かる。好ましくは、θ≧±６０°であり、より好ましくは６０°≦θ≦７５°である。また、開口角度θは大きくてもよいが、大きくすればするほど赤外線遮蔽性能が悪化するため、開口角度θは９０°以下であることが好ましい。なお、周波数帯域３９０ＭＨｚの赤外線で通信を行なうガレージドアオープナーにおいても同様の結果が得られた。
【産業上の利用可能性】
【００２４】
本発明の自動車用窓ガラス１０１は、赤外線遮蔽部１０３により赤外線を反射又は吸収することで、自動車内の温度上昇を抑え、冷房負荷を低減させることができる。一方で、電磁波透過部１０５がバックミラー１０９に内臓されたガレージドアオープナー等の車載器の電磁波を透過させることで、電磁波による通信を良好に行なわせることができる。
【００２５】
また、電磁波透過部１０５は、バックミラー１０９を投影した位置１０９’より上方に設けられているので、赤外線遮蔽部との境界線が、乗員の視認性を妨げるものではない。
【００２６】
尚、本発明は、前述した各実施形態に限定されるものではなく、適宜、変形、改良、等が可能である。また、車載器として、ガレージドアオープナーを例示したが、これに限らず、ＧＰＳアンテナ、ＥＴＣアンテナ、タイヤ空気圧センサ、リモートキーレスエントリーシステム等をバックミラーに内蔵させてもよい。
【符号の説明】
【００２７】
１０１  自動車用窓ガラス
１０１ａ  外板
１０１ｂ  内板
１０１ｃ  中間膜
１０２  導電膜
１０３  赤外線遮蔽部
１０５  電磁波透過部
１０７  接着剤
１０８  黒色セラミック層
１０９  バックミラー
１０９’  バックミラーの投影位置
１２０  開口部
１２１  ボディフランジ
１２１ａ  先端部
【図１】
2012144218.tif 000003
【図２】
2012144218.tif 000004
【図３】
2012144218.tif 000005
【図４】
2012144218.tif 000006